(57)【要約】      （修正有）【課題】測定作業等を、簡単且つ楽に、また精度良く行うことができるようにする定盤を提供する。【解決手段】ハイトゲージ１を載置するための定盤２であって、励磁状態と消磁状態を切り替えるスイッチ３付きの吸着器具４を備える。この吸着器具４の上記スイッチ３の切り替え操作で、ハイトゲージ１を、その台座部分１ａを介して定盤２に磁力の作用で着脱自在になるよう形成する。さらに、吸着器具４を、定盤２の厚み面２ａから定盤２の内側に食い込んで設け、定盤２の厚み面２ａの側にスイッチ３を設ける。また、吸着器具４を定盤２に内蔵し、吸着器具４の上面４ａの磁力作用面に対応する定盤２の上面２ｂの位置に、吸着箇所をあらわす表示を付して形成しても良い。【選択図】図１
0003173735.tif 000002
【実用新案登録請求の範囲】
【請求項１】
ハイトゲージを載置するための定盤であって、励磁状態と消磁状態を切り替えるスイッチ付きの吸着器具を備え、この吸着器具の上記スイッチの切り替え操作で、ハイトゲージを、その台座部分を介して定盤に磁力の作用で着脱自在になるよう形成されていることを特徴とする定盤。
【請求項２】
請求項1記載の定盤であって、吸着器具が、定盤の厚み面から定盤の内側に食い込まれて設けられ、定盤の厚み面の側にスイッチが設けられていることを特徴とする定盤。
【請求項３】
請求項1又は２記載の定盤であって、吸着器具が、定盤に内蔵され、吸着器具の上面の磁力作用面に対応する定盤の上面の位置に、吸着箇所をあらわす表示が付けられていることを特徴とする定盤。
【請求項４】
定盤に載置して使用するハイトゲージであって、上記の定盤に載せられるハイトゲージの台座部分が、励磁状態と消磁状態を切り替えるスイッチ付きの吸着器具を備え、この吸着器具の上記スイッチの切り替え操作で、台座部分を介して定盤に磁力の作用で着脱自在に形成されていることを特徴とするハイトゲージ。
【考案の詳細な説明】
【技術分野】
【０００１】
本考案は、ハイトゲージを載置するのに使用する定盤に関し、更に詳しくは使い勝手が良くなるよう形成した定盤及びハイトゲージに関するものである。
【背景技術】
【０００２】
従来、この種の定盤は、上面が平滑状の平たい台板状に形成されている。またこの定盤に載せて使用するハイトゲージは、例えば特許文献１に記載されているように、鉄等の金属材で重く作られている台座部分に、ガイド部材が垂直に立てられ、このガイド部材にスライダーが上下動自在に設けられ、このスライダーに測定子が取り付けられている。
【０００３】
そして、機械部品等の高さを測定する場合は、ハイトゲージと被測定物（測定対象物）を定盤の上に置き、ハイトゲージのスライダーを下ろして測定子を被測定物の上面にあてがい、測定値を読み取って行うものである。
またケガキ作業を行う場合は、定盤の上に被工作物を載せ、例えばハイトゲージを手で押さえて固定した状態で、被工作物を定盤の上で摺動して行うものである。
【０００４】
而して、この種の作業時に、例えばハイトゲージを定盤に一時的に固定することができると、ハイトゲージ等の位置ずれや転倒を防止でき、使い勝手が良くなるものである。またケガキ作業の際に、ハイトゲージを手でしっかりと押さえる必要がなくなるから、作業を楽に、また精度良くできるものである。
【０００５】
従って、定盤やハイトゲージは、作業の種類や内容等に応じて、定盤はハイトゲージを、またハイトゲージは定盤に、一時的に固定できるよう形成されているのが望ましい。
【０００６】
しかるに、従来の定盤は、単に平たい台板状に形成されているのに過ぎず、また従来のハイトゲージは定盤に載せて使用できるのに止まり、ハイトゲージを固定する機能を有していなかった。
【先行技術文献】
【特許文献】
【０００７】
【特許文献１】実開平５−７５６０１号公報
【考案の概要】
【考案が解決しようとする課題】
【０００８】
本考案は、このような従来品の問題点に鑑み、提案されたものである。
従って本考案の解決しようとする技術的課題は、測定作業等を、簡単且つ楽に、また精度良く行うことができるよう、ハイトゲージを固定可能に形成した定盤、及び定盤に固定できる機能を持つハイトゲージを提供することにある。
【課題を解決するための手段】
【０００９】
本考案は、上記の課題を解決するため、次のような技術的手段を採る。
即ち、本考案は、図１等に示されるように、ハイトゲージ１を載置するための定盤２であって、励磁状態と消磁状態を切り替えるスイッチ３付きの吸着器具４を備え、この吸着器具４の上記スイッチ３の切り替え操作で、ハイトゲージ１を、その台座部分１ａを介して定盤２に磁力の作用で着脱自在になるよう形成されていることを特徴とする（請求項１）。
【００１０】
本考案の場合、吸着器具４は、永久磁石７を内蔵する機械式のものには限られず、電磁石によって電気的に励磁状態と消磁状態の切り替えが可能になるよう形成されているのでも良い。
また本考案の場合、吸着器具４は、定盤２の上面２ｂを広く使用できることから、定盤２の周辺部に配設されるのが好ましいが、これに限定されるものではない。
【００１１】
而して、本考案は、吸着器具４が、定盤２の厚み面２ａから定盤２の内側に食い込まれて設けられ、定盤２の厚み面２ａの側にスイッチ３が設けられているのが好ましい（請求項２）。
【００１２】
なぜならこれによると、通常、方形に形成されることの多い定盤２の大きさ内に吸着器具４を納めて、出っ張りのない体裁の良い本考案品を提供できるからである。またこれによると、スイッチ３の位置が定盤２の側部（横側）になるから、測定作業等に支障を与えることなく、励磁、消磁の切り替え操作を楽にできるからである。
【００１３】
また本考案は、図８に示されるように、吸着器具４が、定盤２に内蔵され、吸着器具４の上面４ａの磁力作用面に対応する定盤２の上面２ｂの位置に、吸着箇所をあらわす表示１１が付けられているのが好ましい（請求項３）。
【００１４】
なぜならこれによると、定盤２の上面２ｂに吸着器具４が露出することを防止できるからである。またこれによると、上面２ｂに段差が生じないから、ハイトゲージ１を定盤２の上面２ｂで円滑に摺動させて配置できるからである。なお、吸着箇所の表示１１は、図形、記号、文字等を塗布等の手段で平面的に施すことで実現される。
【００１５】
而して、本考案の目的は、定盤２に吸着器具４を設けるのに代え、ハイトゲージ１に吸着器具４を設けることによっても達成される。
【００１６】
即ち、本考案は、図９等に示されるように、定盤１３に載置して使用するハイトゲージ１２であって、上記の定盤１３に載せられるハイトゲージ１２の台座部分１２ａが、励磁状態と消磁状態を切り替えるスイッチ３付きの吸着器具４を備え、この吸着器具４の上記スイッチ３の切り替え操作で、台座部分１２ａを介して定盤１３に磁力の作用で着脱自在に形成されていることを特徴とする（請求項４）。
【００１７】
吸着器具４の磁石は、上記と同様、永久磁石７でも電磁石でも良い。また吸着器具４のスイッチ３は、具体的には台座部分１２ａの側面や、上面に設けられることで実現される。
【考案の効果】
【００１８】
本考案の定盤は、このように吸着器具のスイッチを操作し、励磁すれば、ハイトゲージを定盤に一時的に固定でき、消磁すれば、台座部分の吸着を解除できる。
従って、本考案の場合は、作業の種類や内容等に応じて、ハイトゲージを固定したり、固定を解いて動かすことができるから、これによれば、測定作業等を楽に、また精度良く行うことができ、使い勝手が良くなる、という実用上優れた効果を奏する。
【００１９】
また本考案のハイトゲージは、吸着器具のスイッチの切り替え操作で、定盤に一時的に固定したり、固定状態を解いて測定作業等を行うことができる。
それ故、これによれば、上記の定盤の場合と同様、測定作業等を楽に、また精度良くでき、使い勝手が良くなるものである。
【図面の簡単な説明】
【００２０】
【図１】本考案の定盤の好適な一実施形態を示す使用状態時の斜視図である。
【図２】同上定盤の正面図である。
【図３】同上定盤の平面図である。
【図４】同上定盤の右側面図である。
【図５】同上定盤の要部分解斜視図である。
【図６】同上定盤の消磁状態を示す要部断面図である。
【図７】同上定盤の励磁状態を示す要部断面図である。
【図８】同上定盤の他の実施形態を示す要部斜視図である。
【図９】本考案のハイトゲージの好適な一実施形態を示す使用状態時の斜視図である。
【図１０】同上ハイトゲージの正面図である。
【考案を実施するための形態】
【００２１】
以下、本考案を実施するための好適な一実施形態を、添付図面に従って説明する。
【００２２】
本考案は、図１等に示されるように、ハイトゲージ１を載置するための定盤２である。本考案の定盤２は、励磁状態と消磁状態を切り替えるスイッチ３付きの吸着器具４を備え、この吸着器具４の上記スイッチ３の切り替え操作で、ハイトゲージ１を、その台座部分１ａを介して定盤２に磁力の作用で着脱自在になるよう形成されている。台座部分１ａは、鉄等の磁性体で形成されている。
【００２３】
定盤２は、図３に示されるように、この実施形態では上から見て縦辺より横辺が僅かに長い長方形に形成されている。また本考案品は、前側と後側の厚み面２ａに把手５が設けられ、持ち運びが便利になるよう形成されている。
【００２４】
而して、上記の吸着器具４は、定盤２の厚み面２ａから定盤２の内側に食い込まれて設けられ、定盤２の厚み面２ａの側に、スイッチ３が側方に突き出されて設けられている。
吸着器具４は、具体的には、図５に示されるように、凹み６に嵌合されて接着され、上面４ａの磁力作用面が定盤２の上面２ｂと面一になるよう位置決めされている。凹み６は、この実施形態では定盤２の一側辺部の中央部に切り欠き状に形成されている。
【００２５】
また吸着器具４は、図６、図７等に示されるように、円柱型の永久磁石７を摺動回転自在に備えてブロック状に形成されている。永久磁石７は、その直径方向に磁化されている。永久磁石７を収納する吸着器具４の本体は、左右一対の磁性体８と、この磁性体８の上下の対向面に挟み付けられている非磁性体９とで形成されている。非磁性体９は、吸着器具４の前後方向の全長にわたって設けられている。
【００２６】
スイッチ３は、この実施形態では左右に回転して、オン、オフを切り替えることができるよう、摘まみ状に形成されている。そして、このスイッチ３は、その回転軸の軸心を永久磁石７の軸心と同心状にして吸着器具４の外側面に設けられている。なお、図４等に示されるように、吸着器具４の外側面に、吸着側を示すＯＮ表示と、非吸着側を示すＯＦＦ表示が付されている。
【００２７】
なお、ハイトゲージ１は、台座部分１ａに棒状のガイド部材１ｂが垂直に立てられ、このガイド部材１ｂに案内されて上下動するスライダー１ｃに測定子１ｄが設けられている。スライダー１ｃは、測定値をデジタル表示する表示部１ｅを備え、測定子１ｄが台座部分１ａの上面に当接されると、表示部１ｅの数値が０を表示するよう設定されている。
【００２８】
次に、この実施形態の本考案品の使用例を説明する。
先ず、作業者は、ハイトゲージ１の台座部分１ａを吸着器具４の上面４ａの位置に置く（図１の鎖線状態参照）。そしてスイッチ３を回し、ＯＦＦ表示（図１、図４等参照）の側から、ＯＮ表示の側にスイッチ３を切り替える。
【００２９】
すると、永久磁石７が、図６の状態から図７に示されるように回転し、磁束が磁力作用面である上面４ａに生じる。その結果、台座部分１ａが吸着され、定盤２にハイトゲージ１が固定される。
【００３０】
作業者は、この状態で被測定物１０（図２参照）である、例えば機械加工部品を、台座部分１ａの傍らの定盤２の上に載せ、次にスライダー１ｃを下ろして測定子１ｄの測定面を被測定物１０の上にあてがい、スライダー１ｃの表示部１ｅの数値を読み取って被測定物１０の高さを測定する。またケガキ作業を行う場合は、定盤２の上面２ｂで被測定物１０を動かし、測定子１ｄの先端を利用して行う。
なお、この場合、本考案は、吸着器具４の上面４ａに被測定物１０を置き、被測定物１０を吸着器具４で定盤２に固定して測定作業やケガキ作業を行う使い方もできる。
【００３１】
而して、ハイトゲージ１を定盤２の任意の位置で使用する場合は、スイッチ３をＯＦＦ表示の側に回す。すると、永久磁石７のＮ極、Ｓ極が横向き状態（図７の状態参照）から、図６に示されるように、縦向きに配置される。この結果、磁束が、図示されるように、永久磁石７と磁性体８内で閉ループ状に生じ、吸着器具４の上面４ａの磁界が消える。これにより、台座部分１ａの吸着状態が解かれ、バイトゲージの移動が可能になる。
【００３２】
以上の処において、本考案の場合、吸着器具４の配設位置は任意であり、定盤２の側辺部に設けられる場合には限られない。またスイッチ３は、定盤２の上に露出するよう設けられているのでも良い。また吸着器具４は、電磁石を内蔵し、電気的に励磁状態と消磁状態が切り替え可能に形成されているのでも良い。この場合は、スイッチ３を吸着器具４から離して操作し易い位置に設けることができる。
【００３３】
また上例では、吸着器具４の磁力作用面である上面４ａが定盤２の上面２ｂに露出しているが、本考案はこれには限られない。
即ち、本考案は、図８に示されるように、鉄板等の磁性体で定盤２の上面２ｂが形成され、この上面２ｂを介して磁力が台座部分１ａに作用するよう、定盤２の下側に設けられているのでも良い。この場合は、吸着器具４の配置箇所をわかり易くするため、吸着器具４に対応する定盤２の上面２ｂの位置に、吸着箇所をあらわす表示１１が印刷等の手段で平面的に施されているのが良い。
【００３４】
次に本考案のハイトゲージ１２（図９、図１０参照）の好適な一実施形態を、図面に従って説明する。上例と同一箇所、同一部材については、同一の符号を付し、詳しい説明は省略する。
【００３５】
本考案のハイトゲージ１２は、定盤１３に載置して使用するものであり、定盤１３に載せられる台座部分１２ａが、励磁状態と消磁状態を切り替えるスイッチ３付きの吸着器具４を備え、この吸着器具４の上記スイッチ３の切り替え操作で、台座部分１２ａを介して定盤１３に磁力の作用で着脱自在に形成されている。
【００３６】
また吸着器具４は、上例と同様に構成されている。吸着器具４のスイッチ３は、台座部分１２ａの側面に露出状に設けられている。
【００３７】
次に、この実施形態の本考案品の使用例を説明する。
先ず、作業者は、ハイトゲージ１２を定盤１３の任意の位置に置く（図９の状態参照）。そして吸着器具４のスイッチ３を回し、ＯＦＦ表示の側からＯＮ表示の側にスイッチ３を切り替える。
【００３８】
すると、永久磁石７が、図６の状態から図７に示されるように回転し、磁束が吸着器具４の上下の磁力作用面に生じる。これにより、ハイトゲージ１２の台座部分１２ａが、吸着器具４の下面側（底面側）の磁力により定盤１３の上面１３ａに吸着され、ハイトゲージ１２が定盤１３に固定される。
【００３９】
作業者は、この状態で被測定物１０である、例えば機械加工部品を、台座部分１２ａの傍らの定盤１３の上面１３ａに載せ、スライダー１ｃを下ろして測定子１ｄの測定面を被測定物１０の上にあてがい（図２の状態参照）、スライダー１ｃの表示部１ｅの数値を読み取って被測定物１０の高さを測定する。またケガキ作業を行う場合は、定盤１３の上面１３ａで被測定物１０を動かし、測定子１ｄの先端を利用して行う。
【００４０】
またハイトゲージ１２を定盤１３の任意の位置で使用する場合は、スイッチ３をＯＦＦ表示の側に回す。すると、永久磁石７のＮ極、Ｓ極が横向き状態（図７の状態参照）から、図６に示されるように、縦向きに配置される。この結果、磁束が、図示されるように、永久磁石７と磁性体８内で閉ループ状に生じ、吸着器具４の上下の磁力作用面の磁界が消える。これにより、台座部分１２ａの吸着状態が解かれ、バイトゲージの移動が可能になる。
【符号の説明】
【００４１】
１      ハイトゲージ
１ａ    台座部分
２      定盤
３      スイッチ
４      吸着器具
【図１】
0003173735.tif 000003
【図２】
0003173735.tif 000004
【図３】
0003173735.tif 000005
【図４】
0003173735.tif 000006
【図５】
0003173735.tif 000007
【図６】
0003173735.tif 000008
【図７】
0003173735.tif 000009
【図８】
0003173735.tif 000010
【図９】
0003173735.tif 000011
【図１０】
0003173735.tif 000012